(57)【要約】【課題】  使用後の吸収性物品を手や衣服を汚すことなく、迅速に廃棄することができるようにした吸収性物品を提供すること。【解決手段】  少なくとも、トップシートとバックシートと前記シート間に介在された吸収体とにより物品本体が形成され、該物品本体に包装シートを有して成る吸収性物品の包装構造において、前記包装シートの少なくとも一部、好ましくは前記包装シートの前記物品本体に対向する側の面に、吸水層を設ける。【選択図】    図１
2005102920.tif 000002
【特許請求の範囲】
【請求項１】
少なくとも、トップシートとバックシートと前記シート間に介在された吸収体とにより物品本体が形成され、該物品本体に包装シートを有して成る吸収性物品の包装構造において、前記包装シートの少なくとも一部に吸水層を設けたことを特徴とする吸収性物品の包装構造。
【請求項２】
前記吸水層は前記包装シートの前記物品本体と対向する側の面に設けられていることを特徴とする請求項１に記載の吸収性物品の包装構造。
【請求項３】
前記吸水層は前記包装シートの前記物品本体と対向する側の全面に設けられていることを特徴とする請求項２に記載の吸収性物品の包装構造。
【請求項４】
前記吸水層の前記物品本体側の中央部には長手方向の延びる帯状の透液性シートが設けられていることを特徴とする請求項３に記載の吸収性物品の包装構造。
【請求項５】
前記吸水層は前記包装シートの両端部における長手方向に帯状に設けられていることを特徴とする請求項２に記載の吸収性物品の包装構造。
【請求項６】
前記帯状の各吸水層は少なくとも２条以上の帯状層から成っていることを特徴とする請求項５に記載の吸収性物品の包装構造。
【請求項７】
前記前記吸水層の長手方向には少なくとも１条以上の溝が設けられていることを特徴とする請求項１ないし請求項６のいずれかに記載の吸収性物品の包装構造。
【請求項８】
前記帯状の吸水層の上面に少なくとも２層以上の吸水層が積層されていることを特徴とする請求項１ないし請求項６のいずれかに記載の吸収性物品の包装構造。
【請求項９】
前記吸水層に積層された吸水層は透液性シート層から成っていることを特徴とする請求項８に記載の吸収性物品の包装構造。
【請求項１０】
前記包装シートの前記物品本体と対向する側の全面には離型処理が施されていることを特徴とする請求項５ないし請求項８のいずれかに記載の吸収性物品の包装構造。
【請求項１１】
前記吸水層は、ＪＩＳＰ−８１４１で定めるクレム吸水試験において、水の上昇高さが５０ｍｍ以上の素材からなることを特徴とする請求項１ないし請求項１０のいずれかに記載の吸収性物品の包装構造。
【発明の詳細な説明】
【技術分野】
【０００１】
本発明は、経血やおりもり等（以下、「体液」という）を吸収する生理用ナプキン、パンティライナー、あるいは失禁用パッド等の吸収性物品の包装構造に関し、さらに詳細には、吸収性物品の廃棄処理時に体液が手や衣服に付着することなく迅速に廃棄することができるようにした吸収性物品の包装構造に関する。
【背景技術】
【０００２】
上記吸収性物品、その代表例として挙げられる生理用ナプキンの包装構造は、その目的や用途により形状や構造が異なるが、その基本的な構成は大差のないものであって、ナブキン本体が少なくとも、トップシートとバックシートとこれらのシート間に介在された吸収体とにより形成され、ナプキン本体の外面にはこのナプキン本体を下着にズレないように貼着して固定する、いわゆるズレ止め用の接着剤が塗設されており、この接着剤面には包装シートが貼着されて備えられている。このようにナプキン本体の最外面側に備えられたこの包装シートは、その一端部に止着用のテープを有し、この止着用のテープを介して生理用ナプキンを個包装する包装用のシートとして用いられる一方、使用後の生理用ナプキンを包んで廃棄する廃棄用のシートとして用いられる。
【０００３】
このような生理用ナプキンの中には、ズレ止め用の接着剤の保護と付着防止の目的で、この接着剤面に剥離シートを貼着したタイプのものと、このような剥離シートを設ける代わりに包装シートの内面、すなわちナプキン本体と対向する側の面に剥離剤を塗設したタイプのものがあり、実用化されている。
【０００４】
このような包装構造から成る生理用ナプキンは、通常、使用後にナプキン本体をぐるぐると巻き上げ、上述した包装シートで包んでから汚物入れ等に廃棄されるが、この廃棄処理時に体液が手や衣服等に付着して汚すことがあるため、従来、この巻き上げたナプキン本体をさらにトイレットペーパーやティッシュ等で巻いて捨てたり、あるいは個装袋に収納されて市販されている生理用ナプキンの場合には、この個装袋の内部に巻き上げたナプキン本体を収納して捨てることが一般に行われていた。
【０００５】
しかしなから、トイレットペーパーやティッシュで巻く場合には、このトイレットペーパーやティッシュが水分を通し易い素材であるため、生理用ナプキンの吸収体に吸収された体液が外に滲み出ることがあり、このためトイレットペーパーやティッシュを何重にも巻いて大量に使用しなければならず、煩わしさと資源のロスを生じるという問題があった。
【０００６】
一方、生理用ナプキンを個装袋に収納する場合には、一般に個装袋が防水性を有する素材で作られていること、及び、ナプキン本体の全体を覆うことができることから、ナプキン本体を一度個装袋の内部に収納してしまえば、体液による汚れを防止することができる。しかしながら、このように個装袋の内部に使用済みの生理用ナプキンを収納して廃棄する方式では、使用に際し生理用ナプキンをその都度個装袋から取り出す必要があり、作業が非常に面倒で時間がかかること、及び、取り出した後の個装袋はゴミとして捨てられることが多いこと等の理由により、最近ではこのような個装袋は殆ど使用されていないのが実情である。
【０００７】
そこで、従来、上述したような生理用ナプキンの包装シートの一部に袋状部を形成しておき、使用後のナプキン本体を巻き上げて（通常、次に使用する新しい生理用ナプキンの包装シートに形成された）前記袋状部の内部に収納し、その後、この包装シートを巻き上げ、終端部を止着用テープで止めて廃棄するようにした生理用ナプキンの包装構造が提案されている。（例えば、特許文献１、参照。）。
【０００８】
しかしながら、このような生理用ナプキンの包装構造においては、ゴミ問題は解消されるとしても、廃棄に際しナプキン本体を巻き上げ収納する過程において、体液（とくにその体液が多量に排泄された経血であるような場合にはなおさら）がナプキン本体の幅方向から外に滲み出し、これが手や衣服に付着して汚れる心配があるばかりでなく、巻き上げたナプキン本体をその都度狭い袋状部の開口から収納する作業は非常に煩わしいという欠点があった。
【特許文献１】特開２００１−８７３０６号公報
【発明の開示】
【発明が解決しようとする課題】
【０００９】
本発明は上述したような実情に鑑みなされたもので、その目的とするところは、使用後の吸収性物品を手や衣服を汚すことなく、迅速に廃棄することができるようにした吸収性物品の包装構造を提供することにある。
【課題を解決するための手段】
【００１０】
本発明の上記目的は、少なくとも、トップシートとバックシートと前記シート間に介在された吸収体とにより物品本体が形成され、該物品本体に包装シートを有して成る吸収性物品の包装構造において、前記包装シートの少なくとも一部に吸水層を設けたことを特徴とする吸収性物品の包装構造を提供することによって達成される。
【００１１】
また、本発明の上記目的は、前記吸水層は前記包装シートの前記物品本体と対向する側の面に設けられていることを特徴とする吸収性物品の包装構造を提供することによって、より効果的に達成される。
【００１２】
また、本発明の上記目的は、前記吸水層は前記包装シートの前記物品本体と対向する側の全面に設けられていることを特徴とする吸収性物品の包装構造を提供することによって、より効果的に達成される。
【００１３】
また、本発明の上記目的は、前記吸水層の前記物品本体側の中央部には長手方向の延びる帯状の透液性シートが設けられていることを特徴とする吸収性物品の包装構造を提供することによって、より効果的に達成される。
【００１４】
また、本発明の上記目的は、前記吸水層は前記包装シートの両端部における長手方向に帯状に設けられていることを特徴とする吸収性物品の包装構造を提供することによって、より効果的に達成される。
【００１５】
また、本発明の上記目的は、前記帯状の各吸水層は少なくとも２条以上の帯状層から成っていることを特徴とする吸収性物品の包装構造を提供することによって、より効果的に達成される。
【００１６】
また、本発明の上記目的は、前記吸水層の長手方向には少なくとも１条以上の溝が設けられていることを特徴とする吸収性物品の包装構造を提供することによって、より効果的に達成される。
【００１７】
また、本発明の上記目的は、前記帯状の吸水層の上面に少なくとも２層以上の吸水層が積層されていることを特徴とする吸収性物品の包装構造を提供することによって、より効果的に達成される。
【００１８】
また、本発明の上記目的は、前記吸水層に積層された吸水層は透液性シート層から成っていることを特徴とする吸収性物品の包装構造を提供することによって、より効果的に達成される。
【００１９】
また、本発明の上記目的は、前記包装シートの前記物品本体と対向する側の全面には離型処理が施されていることを特徴とする吸収性物品の包装構造を提供することによって、より効果的に達成される。
さらにまた、本発明の上記目的は、前記吸水層を、ＪＩＳＰ−８１４１で定めるクレム吸水試験において、水の上昇高さが５０ｍｍ以上の素材から成ることを特徴とする吸収性物品の包装構造を提供することによって、より効果的に達成される。
【発明の効果】
【００２０】
本発明に係わる吸収性物品の包装構造によれば、使用後の吸収性物品を廃棄する場合に、巻き上げた物品本体を包装シートにより包んで捨てる点では従来と同様であるが、包装シートの少なくとも一部に給水層が設けられているので、体液が物品本体の幅方向から滲み出たとしても、滲み出た体液がこの吸水層に吸収され、包装シートの幅方向から外に滲み出すことがないため、体液によって手や衣服を汚すことが防止される。
【００２１】
とくに、前記吸水層を包装シートの物品本体と対向する側の面に設けた吸収性物品の包装構造によれば、巻き上げた物品本体を包装シートにより包む場合に包み易く、また体液の吸収性能が一段と向上される。
【００２２】
また、このとき、吸水層を包装シートの物品本体と対向する側の全面に設けた吸収性物品の包装構造によれば、物品本体から滲み出た体液が吸水層全面で吸収することができるので、体液が物品本体のいかなる場所から滲み出ても、これを吸収することができる。
【００２３】
また、上述したように物品本体と対向する側の全面に吸水層を設け、この中央部の長手方向に帯状の透液性シートを設けた吸収性物品の包装構造によれば、使用に際し吸収性物品を個包装状態から開封するとき、すなわち包装シートを一方の手で押え、物品本体の先端を他方の手でつまんで分離しようとするとき、物品本体の外面側に備えられたズレ止め用のカバーシートによって吸水層が剥ぎ取られることをこの帯状の透液性シートによって防止することができる。
【００２４】
また、前記吸水層を包装シートの両端部の長手方向に帯状に設けた吸収性物品の包装構造によれば、体液が物品本体の幅方向から滲み出たとしても、滲み出た体液はこの帯状の吸水層に直ちに吸収され、包装シートの幅方向から滲み出ることがない。
【００２５】
また、この帯状の吸水層を２条以上の帯状層で構成した吸収性物品の包装構造によれば、上記同様に滲み出た体液が、先ずこの層によって堰止められ、また幅方向に滲み出た体液はこの層と層とにより形成された溝に沿って長手方向に移動するようになるので、体液が幅方向から滲み出ることがない。
【００２６】
このような作用効果は、前記吸水層の長手方向に１条以上の溝を設けた吸収性物品の包装構造によっても得ることができる。
【００２７】
また、前記帯状の吸水層の上面にさらに２層以上の吸水層、とくに透液性シート層から成る吸水層を積層した吸収性物品の包装構造によれば、上記同様に滲み出た体液は先ず上層の透液性シート層によりいち早く吸収されると共に下層に浸透され、下層の吸水層に吸収、保持されるので最も効果的に体液の滲み出しを防止することができる。
【００２８】
また、包装シートの物品本体と対向する側の全面に離型処理をした吸収性物品の包装構造によれば、物品本体と包装シートとの間にズレ止め用の接着剤の保護と付着防止のための剥離シートを設ける必要がなくなるので、製造コストが低減され、またゴミ問題が解消される。
【００２９】
さらにまた、前記吸水層を、ＪＩＳＰ−８１４１で定めるクレム吸水試験において、水の上昇高さが５０ｍｍ以上の素材、例えばクレープ紙等の素材で構成した吸収性物品の包装構造によれば、体液の吸収効果が一段と優れ、物品本体から滲み出た体液をきわめて迅速に吸収することができる。
【００３０】
以上のとおり、本発明に係わる吸収性物品の包装構造によれば、物品本体から滲み出た体液を吸水層で迅速、かつ確実に吸収、保持することができるので、体液が包装シートの幅方向から外に滲み出ることがなくなり、このため吸収性物品の廃棄処理時に体液により手や衣服を汚すことがなくなる。
【００３１】
また、個装袋を用いない包装形態であるので、取り扱いが極めて簡単であり、開封や後処理を迅速に行なうことができる。
【発明を実施するための最良の形態】
【００３２】
以下、本発明の内容を好ましい実施形態に基き説明する。なお、以下の実施形態は吸収性物品が生理用ナプキンである場合を例に説明するが、本発明は必ずしも以下の実施形態に限定されるものではなく、本願の特許請求の範囲を逸脱しない範囲においてその構成を種々に変更することができるものであることはいうまでもない。
【００３３】
図１は、本発明に係わる生理用ナプキンの展開平面図、図２は、図１のＩＩ−ＩＩ拡大断面図、図３は、図１のＩＩＩ−ＩＩＩ断面拡大図である。
【００３４】
本生理用ナプキン１は、着用者の身体と接する側より順に、トップシート２、ティッシュ等の吸水紙３で全体が被覆された吸収体４、及びバックシート５によりナプキン本体６が形成され、このナプキン本体６の外面側、すなわちバックシート５の外面には、装着時に下着等にナプキン本体６を貼着して固定するための接着剤７が塗設され、この接着剤７の使用前における保護及び付着防止の目的でその外面には縦長矩形状の剥離シート８が貼着されている。さらに、この剥離シート８の外面、すなわちナプキン本体の最も外側に位置する面には接着剤９を介して包装シート１０が貼着されて備えられている。また、この包装シート１０の上端部には包装時及び廃棄時に使用される止着用テープ１１が取り付けられている。
【００３５】
図１に示すように、ナプキン本体６は、平面形状が瓢箪形に形成され、上半部分、すなわち身体の下腹部側に位置する部分の面積に較べ、下半部分、すなわち身体の臀部側に位置する部分の面積が大きく設定されている。吸収体４はこの瓢箪形に形成されたナプキン本体６の中央部に略同形、かつ面積的に小さく配置されている。なお、ナプキン本体６の外周部には、延出されたトップシート２とバックシート５とが接着剤やヒートシール等により一体的に接合されて延出部１２が形成されている。
【００３６】
この延出部１２は、図１に示すように、下半部側で幅方向に大きく延出され、これにより左右一対のヒップホールド１２Ｗが形成されている。このヒップホールド１２Ｗの外面、すなわち下着等に貼着される面には接着剤１３が塗設されており、この接着剤１３の保護と付着防止の目的で接着面には横長矩形状の剥離シート１４が貼着されている。この剥離シート１４の外面には接着剤１９を介して前記包装シート１０が部分的に接着され、固定されている。
【００３７】
一方、ナプキン本体６の身体当接面、すなわちトップシート２の表面の幅方向両側部、
さらに詳細には、吸収体４の両側部上方に位置するトップシート２の表面には、ナプキン本体６の長さ方向に沿って帯状のギャザー１５が設けられている。このギャザー１５は、上下端部側では図３に示すように平坦に固着されて平面ギャザーを形成し、中央部では、図２に示すように、内部に挿通された糸状の弾性伸縮部材１６の作用により内側端部がトップシート２の表面から起立するようになっており、これにより体液の横漏れ防止バリヤーである立体ギャザーを形成している。
【００３８】
本発明に係わる生理用ナプキン１では、図２、図３に丸印Ａで示し、図４にその拡大断面構造を示すように、包装シート１０の内面、すなわちナプキン本体６と対向する側の面の幅方向両端部において長さ方向に延びる帯状の吸水層１７が接着されて積層され、さらにこの吸水層１７の上面には同一形状をなす帯状の透液性シート層１８が積層されている。なお、包装シート１０、吸水層１７、透液性シート層１８の各層は熱接着手段により互いに接着されている。なお、各層をホットメルト接着剤により接着することできる。このホットメルト接着剤には、例えばスチレン系ポリマー、粘着付与剤、可塑剤のいずれかが主成分であるものが好適に用いられる。前記スチレン系ポリマーとしては、スチレンーエチレンーブチレンースチレンブロック共重合体等が挙げられるが、これらのうち１種のみを使用しても、２種以上のポリマーブレンドであってもよい。この中でも熱安定性が良好であるという点で、スチレンーエチレンーブチレンースチレンブロック共重合体が好ましい。また、前記粘着付与剤では例えばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えばリン酸トリフレシル、フタル酸ジブチル、フタル酸ジオクチル等のモノマー可塑剤の他,ビニル重合体やポリエステルのようなポリマー可塑剤が挙げられる。
【００３９】
また、上記各層を接着させる方法として、ナプキン本体６の長さ方向に直径が１ｍｍ以下のドット状エンボスを施すことにより接着させるようにしてもよい。このようにすると、ドット状エンボスにより包装シート１０の長さ方向に折り癖が付けられ、排泄された体液がこの折り目に沿って流れるようになるため、体液の幅方向への滲み出しを一層確実に防止することができる。
【００４０】
ここに、上述した本生理用ナプキン１の各構成部品は次に例示するような部材から成っている。なお、例示したもの以外に、当分野で公知の素材も適用できることはいうまでもない。
【００４１】
トップシート２は、体液を吸収体４へ透過させるシートであって、これには肌着に近い感触を有し、きめが細かく繊維密度が高い素材、例えば有孔又は無孔の不織布や多孔性のプラスチックシート等が好適に用いられるが、必ずしもこれらの素材に限定されるものではない。不織布を構成する素材繊維としては、ポリエチレンまたはポリプロピレン等のオレフィン系、ポリエステル系、ポリアミド系等の合成繊維の他レーヨンやキュプラ等の再生繊維、綿等の天然繊維とすることができ、スパンレース法、スパンボンド法、サーマルポンド法、メルトブローン法、ニードルパンチ法等の適宜の加工法によって得られた不織布を用いることができる。これらの加工法のうち、スパンレース法は柔軟性、ドレープ性に富む点で優れ、サーマルポンド法は嵩高でソフトである点で優れている。なお、トップシート２に多数の透孔を形成すると、体液が吸収体４に速やかに吸収されるようになり、ドライタッチ性に優れたものとなる。
【００４２】
吸収体４には、例えばフラッフ状パルプと吸水ポリマーとにより構成されている。この吸水ポリマーは吸収体４を構成するパルプ中に例えば粒状粉として混入されている。また、パルプとしては木材から得られる化学パルプ、溶解パルプ等のセルロース繊維や、レーヨン、アセテート等の人工セルロース繊維から成るものが挙げられる。なお、本例のように吸収体４を吸水紙３で被覆するように設けると、吸水紙３によって体液を速やかに拡散させると共に、体液の逆戻りを防止することができる。
【００４３】
バックシート５には、ポリエチレン、ポリプロピレン等の少なくとも遮水性を有するシート材が用いられるが、この他にポリエチレンシート等に不織布を積層したラミネート不織布や、さらには防水フィルムを介在して実質的に不透液性を確保した上で不織布シート（この場合には、防水フィルムと不織布とでバックシート５を構成する。）等を用いることができる。近年はムレ防止の観点から透湿性を有するものが好適に用いられる傾向にある。この遮水・透湿性シート材としては、ポリエチレンやポリプロピレン等のオレフィン系樹脂中に無機充填剤を溶融混練してシートを成形した後、一軸またはニ軸方向に延伸することにより得られる微多孔性シートが好適に用いられる。なお、バックシート５の厚みについては、本生理用ナプキン１の携行時、あるいは開封時、すなわちナプキン本体６を包装シート１０から剥ぎ取る時点、に発する不快音の問題を考えると、厚みは極力薄い方が望ましい。
【００４４】
剥離シート８及び１４には、紙基材の表面にシリコン等の剥離剤を塗工して成る公知のものが使用される。
【００４５】
包装シート１０には、薄くて柔軟な素材、例えばポリエチレン、ポリプロピレン、ポリエチレンテレフタレート、あるいは不織布等が好ましく用いられる。上述したように、この包装シート１０は、ナプキン本体６の包装用、及び廃棄用として使用されるため、全体がナプキン本体６より大き目に形成されている。
【００４６】
包装シート１０の内面上に設けられる吸水層１７には、ＪＩＳＰ−８１４１で定めるクレム吸水試験において、水の上昇高さが５０ｍｍ以上の素材が用いられる。とくに、１０〜１００ｇ／ｍ２のクレープ紙、あるいは当分野で公知のパルプ繊維もしくは高吸収性ポリマーを用いてシート状にした不織布が好ましく用いられる。なお、不織布の製法にはエアレイド法を始めとする公知の種々の製法を適用することができる。なお、このような不織布に抗菌消臭成分を加えると、衛生面で好ましい生理用ナプキン１とすることができる。
【００４７】
この吸水層１７の上面に積層される透液性シート層１８は、実質的には上述したトップシートと同一ないし近似した素材、すなわち体液を吸収、透過し得る吸水層としての機能を有する素材であればよい。なお、上述した吸水層１７及び透液性シート層１８の幅や厚さについては、目的や用途（例えば昼用か夜用か）等により、適宜な値に設定することができる。また、この透液性シート１８で代表される吸水層は後述する各包装シート構造においても適用することができるものである。
【００４８】
また、本生理用ナプキン１で用いられる接着剤、すなわち、バックシート５の外面に塗設される接着剤７、及び、ヒップホールド１２Ｗの外面に塗設される接着剤１３には、前述した各層の接着に用いられるホットメルト接着剤が好適に用いられる。
【００４９】
本生理用ナプキン１は以上のとおり作られているので、使用済みの本生理用ナプキン１を廃棄する場合には、従来と同様にナプキン本体６を軽く巻き上げた後、包装シート１０で包み込むが、このとき、上述したように、包装シート１０の内面の幅方向両端部に長さ方向に延びる帯状の吸水層１７及び透液性シート層１８が設けられているので、体液がナプキン本体６の幅方向から滲み出たとしても、滲み出た体液は先ず上層の透液性シート層１８内にいち早く吸収、浸透され、そして直ちに下層の吸水層１７に吸収保持されるので、体液が包装シート１０の幅方向から外に滲み出ることがなく、よって本生理用ナプキン１によれば、体液によって手や衣服を汚すことが防止される。
【００５０】
また、使用に際しては包装シート１０から手早く剥ぎ取ることができるので手間がかからず、さらにまた、個装袋を使用する必要がないので、ゴミの問題もない。
【００５１】
以上、本発明を一実施形態に基き説明したが、本発明は次のように構成を変更することができる。
【００５２】
図５は、本発明の他の実施形態の要部、すなわち包装シート構造を示したもので、（Ａ）は要部である包装シート１０Ａの断面図であり、（Ｂ）はその一部を平面図で示したものである。すなわち、本包装シート構造は、前記吸水層１７と同様に、長さ方向に帯状に延びた２条の吸水層１７Ａ１、１７Ａ２を包装シート１０の内面の幅方向両端部に設けたものである。このように複数の（本例では片側２条の）吸水層１７Ａ１、１７Ａ２を設けると各層間に溝ｄが形成されるので、ナプキン本体６の幅方向側部から滲み出た体液が先ず吸水層１７Ａ１、１７Ａ２で堰止められ、また、幅方向に滲み出た体液は溝ｄに沿って長手方向に移動されるので、体液が包装シート１０Ａの幅方向から外に滲み出ることがない。
【００５３】
図６は、本発明のさらに他の実施形態の要部を示したもので、（Ａ）は要部である包装シート１０Ｂの断面図であり、（Ｂ）はその一部を平面図で示したものである。すなわち。本包装シート構造は、前記吸水層１７と形状等が実質的に同一の吸水層１７Ｂを本包装シート１０Ｂの内面幅方向両端部に設けたものである。本包装シート構造によれば、上記のものに較べ、吸液効果の面では幾分減少するが、構造がシンプルであるので生理用ナプキン１を安価に製造できる利点がある。
【００５４】
図７は、本発明のさらに他の実施形態の要部断面図である。すなわち、本包装シート構造は、包装シート１０Ｃの上面全域に前記吸水層１７Ｃを設けたものである。このような包装シート構造によれば、体液が滲み出る位置に拘らず体液を吸収することができる。
【００５５】
図８は、本発明のさらに他の実施形態の要部断面図である。すなわち、本包装シート構造は、上述した包装シート構造の変更例に係わるもので、吸水層１７Ｄを包装シート１０Ｄの全域に設け、そのナプキン本体６側の中央部に長手方向に延びる帯状の透液性シート２０を設けたものである。なお、この透液性シート２０は実質的に前述した透液性のトップシート２と同一、ないし類似した素材が用いられる。本包装シート構造によれば、前述したように、使用に際し生理用ナプキン１を個包装状態から開封するとき、すなわち包装シート１０Ｄを一方の手で押え、ナプキン本体６の先端を他方の手でつまんで分離しようとするとき、図３に示すように、ナプキン本体６の外面側に備えられたズレ止め用のカバーシート１４が接着剤１９に接着されて吸水層１７Ｄをも剥離してしまうことをこの帯状の透液性シート２０よって防止することができる。
【００５６】
図９（Ａ）（Ｂ）は、本発明のさらに他の実施形態の要部断面図である。すなわち、本包装シート構造（Ａ）は、包装シート１０Ｅの幅方向両端部に設けられた帯状の吸水層１７Ｅの表面に１条の溝ｄ１を設けたものであり、本包装シート構造（Ｂ）は、包装シート１０Ｆの上面全域に設けられた吸水層１７Ｆの表面に複数条の溝ｄ２を設けたものである。このように、長手方向に延びる溝ｄ１、ｄ２を有する本包装シート構造によれば、ナプキン本体６の幅方向から滲み出た体液がこの溝ｄ１、ｄ２に沿って長手方向に移動するように作用するので、体液が包装シート１０Ｅ、１０Ｆの幅方向から滲み出ることがない。
【００５７】
以上、本発明に係わる吸収性物品の包装構造を吸水層が包装シートの内面、すなわち物品本体と対向する側の面に設けられる場合について説明したが、本発明においてはこの吸水層が包装シートの外面側に設けられていてもよく、この場合には吸水層側を上にして使用後の吸収性物品本体を包めばよい。また、この吸水層は包装シートの少なくとも一部に設けられていればよい。
【産業上の利用可能性】
【００５８】
本発明は、生理用ナプキンに限らず、この外パンティライナーや失禁パッド等、当分野で公知の吸収性物品に適用できることは前述したとおりである。
【図面の簡単な説明】
【００５９】
【図１】本発明の一実施形態である生理用ナプキンの展開平面図である。
【図２】図１のＩＩ−ＩＩ断面拡大図である。
【図３】図１のＩＩＩ−ＩＩＩ断面拡大図である。
【図４】図１の要部拡大部分断面図である。
【図５】（Ａ）本発明の他の実施形態の要部断面図、（Ｂ）はその部分平面図である。
【図６】（Ａ）本発明のさらに他の実施形態の要部断面図、（Ｂ）はその部分平面図である。
【図７】本発明のさらに他の実施形態の要部断面図である。
【図８】本発明のさらに他の実施形態の要部断面図である。
【図９】（Ａ）（Ｂ）本発明のさらに他の実施形態の要部断面図である。
【符号の説明】
【００６０】
１                          生理用ナプキン
２                          トップシート
３                          吸水紙
４                          吸収体
５                          バックシート
６                          ナプキン本体
８、１４                    剥離シート
１０、１０Ａ〜１０Ｆ        包装シート
１７、１７Ａ〜１７Ｆ        吸水層
１８                        透液性シート層（吸水層）
【図１】
2005102920.tif 000003
【図２】
2005102920.tif 000004
【図３】
2005102920.tif 000005
【図４】
2005102920.tif 000006
【図５】
2005102920.tif 000007
【図６】
2005102920.tif 000008
【図７】
2005102920.tif 000009
【図８】
2005102920.tif 000010
【図９】
2005102920.tif 000011